(57)【要約】      （修正有）【課題】３回の梱包及び開梱を別個の態様により行うことが可能な梱包箱を提供する。【解決手段】梱包箱の底面を構成する順に隣り合って連続する第一〜第四底面部１１〜１４と各底面部に連続する第一〜第四側面部２１〜２４と第一側面部２１に連続する第一上面部３１及び第三側面部３２に連続する第三上面部３３を備え、第一上面部３１において、１回目梱包用の第一突片部３１１が第一側面部２１の反対側に突出し、２回目梱包用の第一挿入口３１２が第一側面部２１との境界領域の第三突片部３３１に対応する位置に設けられ、３回目梱包用の他の挿入口３１３が当該第一上面部３１の中央領域に設けられ、第三上面部３３において、１回目梱包用の第三挿入口３３２が第三側面部２３との境界領域の第一突片部３１１に対応する位置に設けられ、２回目梱包用の第三突片部３３１が第三側面部２３の反対側に突出し、３回目梱包用の他の突片部３３４を形成する破断部３３３が第一上面部３１における他の挿入口３１３に対応するように設けられる。【選択図】図１
0003221254.tif 000002
【実用新案登録請求の範囲】
【請求項１】
３回の梱包及び開梱を別個の態様により行うことが可能な梱包箱であって、
梱包箱の底面を構成する順に隣り合って連続して形成された第一底面部、第二底面部、第三底面部、及び第四底面部と、
前記各底面部にそれぞれ連続して形成された第一側面部、第二側面部、第三側面部、及び第四側面部と、
前記第一側面部に連続して形成された第一上面部、及び前記第三側面部に連続して形成された第三上面部と、を備え、
前記第一上面部において、１回目の梱包に用いられる第一突片部が前記第一側面部の反対側に突出して設けられ、２回目の梱包に用いられる第一挿入口が当該第一上面部を前記第三上面部の上に重ね合わせた状態で前記第一側面部との境界領域における前記第三上面部の第三突片部に対応する位置に設けられ、３回目の梱包に用いられる他の挿入口が当該第一上面部の中央領域に設けられ、
前記第三上面部において、１回目の梱包に用いられる第三挿入口が当該第三上面部を前記第一上面部の上に重ね合わせた状態で前記第三側面部との境界領域における前記第一上面部の前記第一突片部に対応する位置に設けられ、２回目の梱包に用いられる前記第三突片部が前記第三側面部の反対側に突出して設けられ、３回目の梱包に用いられる他の突片部を形成する破断部が当該第三上面部を前記第一上面部の上に重ね合わせた状態で前記第一上面部の前記他の挿入口に前記他の突片部が対応するように設けられた
ことを特徴とする梱包箱。
【請求項２】
前記第一突片部、前記第三突片部、及び前記他の突片部の少なくともいずれかが、それぞれ対応する前記第三挿入口、前記第一挿入口、及び前記他の挿入口に挿入されたときに前記各挿入口に係合する張り出し部を備えた
ことを特徴とする請求項１記載の梱包箱。
【請求項３】
前記第一突片部の根元に当該第一突片部を容易に分離可能な破断部が設けられたことを特徴とする請求項１又は２記載の梱包箱。
【請求項４】
前記第三突片部の根元に当該第三突片部を容易に分離可能な破断部が設けられたことを特徴とする請求項１〜３のいずれかに記載の梱包箱。
【請求項５】
前記第三上面部に当該第三上面部を容易に切断可能な破断部が設けられたことを特徴とする請求項１〜４のいずれかに記載の梱包箱。
【請求項６】
前記第三上面部の前記第三挿入口に切り欠きが設けられたことを特徴とする請求項１〜５のいずれかに記載の梱包箱。
【請求項７】
前記第二側面部に連続して形成された第二上面部、及び前記第四側面部に連続して形成された第四上面部を備えたことを特徴とする請求項１〜６のいずれかに記載の梱包箱。
【請求項８】
第一底面部、第二底面部、第三底面部、及び第四底面部が、ボトムロック式により梱包箱の底を形成することを特徴とする請求項１〜７のいずれかに記載の梱包箱。
【考案の詳細な説明】
【技術分野】
【０００１】
本考案は、物品を配送するための梱包箱に関する。
【背景技術】
【０００２】
従来、物品を配送するために、段ボールや厚紙などからなる梱包箱が、広く使用されている。
このような梱包箱を物品の配送のために再度利用する場合、通常、１回目と同様に再度梱包が行われ、配送された後、１回目と同様に再度開梱が行われている。
【０００３】
しかしながら、このような一般的な梱包箱を用いる場合、粘着テープなどを使用して梱包する必要があり、また開梱するためにこれを引き剥がす必要があるため、煩雑であるという問題があった。
このため、再梱包及び再開梱をより簡単に行うことが可能な梱包箱が望まれていた。
【先行技術文献】
【特許文献】
【０００４】
【特許文献１】特開２００６−１７６１４９号公報
【特許文献２】特開２００６−２１９１３６号公報
【考案の概要】
【考案が解決しようとする課題】
【０００５】
再梱包などを簡単に行うための技術として、特許文献１に記載の再封緘機能付き包装箱を挙げることができる。この包装箱によれば、粘着テープなどを必要としない梱包及び開梱を２回の別個の態様により行うことが可能となっている。
また、再梱包などを簡単に行うための技術として、特許文献２に記載の段ボール箱を挙げることもできる。この段ボール箱によれば、粘着テープなどを用いることなく、開封後に収納用の箱として再封緘することが可能になっている。
【０００６】
ところで、かつらやウィッグなどのメンテナンスを行う場合においては、これらを収容した梱包箱を３回配送することが必要なことがある。すなわち、かつらなどは、顧客が所持しているところ、これを適切に回収してメンテナンスした後、顧客に返却することが必要となる。
【０００７】
例えば、まず、店舗が、かつらを顧客から回収するために、回収ケースを梱包箱に入れて１回目の梱包を行い、梱包箱が顧客へ配送され、顧客によって１回目の開梱が行われ、回収ケースが取り出される。
次に、顧客が、かつらを回収ケースに入れ、これを梱包箱に入れて２回目の梱包を行い、梱包箱が店舗へ配送され、店舗によって２回目の開梱が行われ、回収ケースが取り出される。
【０００８】
最後に、店舗が、メンテナンスしたかつらを回収ケースに入れ、これを梱包箱に入れて３回目の梱包を行い、梱包箱が顧客へ配送され、顧客によって３回目の開梱が行われて、回収ケースからかつらが取り出される。
このような使用形態の場合、再梱包及び再開梱を簡単に行うためには、粘着テープなどを使用して梱包したり、また開梱するためにこれを引き剥がす必要のない梱包及び開梱を３回別個の態様によって行えるようにすることが望ましい。
しかしながら、特許文献１に記載の再封緘機能付き包装箱や、特許文献２に記載の段ボール箱では、これを実現することはできず、またこれを実現可能な梱包箱は見当たらなかった。
【０００９】
本考案は、上記事情に鑑みなされたものであり、３回の梱包及び開梱を別個の態様により行うことが可能な梱包箱の提供を目的とする。
【課題を解決するための手段】
【００１０】
上記の目的を達成するため、本考案の梱包箱は、３回の梱包及び開梱を別個の態様により行うことが可能な梱包箱であって、梱包箱の底面を構成する順に隣り合って連続して形成された第一底面部、第二底面部、第三底面部、及び第四底面部と、各底面部にそれぞれ連続して形成された第一側面部、第二側面部、第三側面部、及び第四側面部と、第一側面部に連続して形成された第一上面部、及び第三側面部に連続して形成された第三上面部とを備え、第一上面部において、１回目の梱包に用いられる第一突片部が第一側面部の反対側に突出して設けられ、２回目の梱包に用いられる第一挿入口が当該第一上面部を第三上面部の上に重ね合わせた状態で第一側面部との境界領域における第三上面部の第三突片部に対応する位置に設けられ、３回目の梱包に用いられる他の挿入口が当該第一上面部の中央領域に設けられ、第三上面部において、１回目の梱包に用いられる第三挿入口が当該第三上面部を第一上面部の上に重ね合わせた状態で第三側面部との境界領域における第一上面部の第一突片部に対応する位置に設けられ、２回目の梱包に用いられる第三突片部が第三側面部の反対側に突出して設けられ、３回目の梱包に用いられる他の突片部を形成する破断部が当該第三上面部を第一上面部の上に重ね合わせた状態で第一上面部の他の挿入口に他の突片部が対応するように設けられた構成としてある。
【考案の効果】
【００１１】
本考案によれば、３回の梱包及び開梱を別個の態様により行うことができる梱包箱の提供が可能となる。
【図面の簡単な説明】
【００１２】
【図１】本考案の実施形態に係る梱包箱の展開図である。
【図２】本考案の実施形態に係る梱包箱の底面部及び側面部を組み立てた状態を示す斜視図である。
【図３】本考案の実施形態に係る梱包箱の１回目の梱包を完了する直前の状態を示す斜視図である。
【図４】本考案の実施形態に係る梱包箱の１回目の梱包を完了した状態を示す斜視図である。
【図５】本考案の実施形態に係る梱包箱の２回目の梱包を完了する直前の状態を示す斜視図である。
【図６】本考案の実施形態に係る梱包箱の２回目の梱包を完了した状態を示す斜視図である。
【図７】本考案の実施形態に係る梱包箱の３回目の梱包を行うための突片部を形成した状態を示す斜視図である。
【図８】本考案の実施形態に係る梱包箱の３回目の梱包を完了した状態を示す斜視図である。
【図９】本考案の実施形態に係る梱包箱の３回目の梱包を行うためのその他の突片部を形成した状態を示す斜視図である。
【図１０】本考案の実施形態に係る梱包箱を３回目に容易に開梱するための破断部が形成された構成を示す斜視図である。
【考案を実施するための形態】
【００１３】
以下、本考案の実施形態に係る梱包箱について、図面を参照して説明する。なお、図面において、破線を谷折り線、二点鎖線を山折り線として記載した。
【００１４】
本実施形態の梱包箱は、３回の梱包及び開梱を別個の態様により行うことが可能な梱包箱であり、図１の展開図に示すように、該梱包箱の底面を構成する順に隣り合って連続して形成された第一底面部１１、第二底面部１２、第三底面部１３、及び第四底面部１４を備えている。
また、これらの底面部にそれぞれ連続して形成された第一側面部２１、第二側面部２２、第三側面部２３、及び第四側面部２４を備えている。
【００１５】
また、第一側面部２１に連続して形成された第一上面部３１と、第三側面部２３に連続して形成された第三上面部３３を備えている。
さらに、第二側面部２２に連続して形成された第二上面部３２と、第四側面部２４に連続して形成された第四上面部３４を備えることも好ましい。第二上面部３２と第四上面部３４がなくても梱包を行うことはできるが、これらの上面部を備えることにより上面部と側面部間の隙間を防ぐと共に、梱包の強度を高めることが可能となる。
【００１６】
また、第一上面部３１において、１回目の梱包に用いられる第一突片部３１１が第一側面部２１の反対側に突出して設けられている。この第一突片部３１１の根元には、当該第一突片部３１１を容易に分離することが可能な破断部３１１１が設けられている。
さらに、第一突片部３１１には、後述する第三挿入口３３２に挿入されたときに係合するための張り出し部３１１２が備えられている。
【００１７】
また、第一上面部３１において、２回目の梱包に用いられる第一挿入口３１２が、当該第一上面部３１を第三上面部３３の上に重ね合わせた状態で第一側面部２１との境界領域における第三上面部３３の第三突片部３３１に対応する位置に設けられている。
さらに、第一上面部３１において、３回目の梱包に用いられる他の挿入口３１３が当該第一上面部３１の中央領域に設けられている。
【００１８】
また、第三上面部３３において、１回目の梱包に用いられる第三挿入口３３２が、当該第三上面部３３を第一上面部３１の上に重ね合わせた状態で第三側面部２３との境界領域における第一上面部３１の第一突片部３１１に対応する位置に設けられている。
【００１９】
また、第三上面部３３において、２回目の梱包に用いられる第三突片部３３１が第三側面部２３の反対側に突出して設けられている。この第三突片部３３１の根元には、当該第三突片部３３１を容易に分離することが可能な破断部３３１１が設けられている。
さらに、第三突片部３３１には、第一挿入口３１２に挿入されたときに係合するための張り出し部３３１２が備えられている。
【００２０】
さらに、第三上面部３３において、３回目の梱包に用いられる他の突片部３３４を形成する破断部３３３が当該第三上面部３３を第一上面部３１の上に重ね合わせた状態で第一上面部３１の他の挿入口３１３に他の突片部３３４が対応するように設けられている。
また、他の突片部３３４に、他の挿入口３１３に挿入されたときに係合するための張り出し部を備えることも好ましい。
【００２１】
また、第一底面部１１、第二底面部１２、第三底面部１３、及び第四底面部１４が、ボトムロック（地獄底）式によって梱包箱の底を形成することも好ましい。
すなわち、第一底面部１１を谷線部１１２で谷折りし、接着部１１１を第二底面部１２の被接着部１２１に接着する。また、第三底面部１３を谷線部１３２で谷折りし、接着部１３１を第四底面部１４の被接着部１４１に接着する。
【００２２】
そして、第一底面部１１の先端部１１３を第四底面部１４に対して梱包箱の内側になるように重ねると共に、第三底面部１３の先端部１３３を第二底面部１２に対して梱包箱の内側になるように重ねる。さらに、第一側面部２１の接着部２１１が第四側面部２４の被接着部２４１に対して梱包箱の内側になるように重ねて接着することにより、梱包箱の底をボトムロック式に形成することができる。
【００２３】
このようにして、底面部と側面部を組み立てた本実施形態の梱包箱の斜視図を図２に示す。
梱包箱をこの状態にして、例えば、店舗は、かつらを顧客から回収するために、回収ケースを梱包箱に入れる。
【００２４】
次に、図３に示すように、第二上面部３２と第四上面部３４を梱包箱の内側に倒すように折りたたみ、次いで、第三上面部３３を梱包箱の内側に倒すように折りたたむ。このとき、第三上面部３３の第三突片部３３１も、梱包箱の内側に倒すように折りたたむ。
【００２５】
さらに、図４に示すように、第一上面部３１を第三上面部３３の上に重ねて折りたたみ、第一上面部３１の第一突片部３１１を第三上面部３３の第三挿入口３３２に挿入して、張り出し部３１１２により第三挿入口３３２に係合させて固定する。これにより、１回目の梱包が完了する。
【００２６】
次に、梱包箱が顧客へ配送され、顧客によって１回目の開梱が行われ、回収ケースが取り出される。
このとき、第一上面部３１の第一破断部３１１１を破断させて、第一突片部３１１を除去し、第一上面部３１を折り返すことで、梱包箱を容易に開梱することが可能になっている。
【００２７】
次に、顧客が、かつらを回収ケースに入れ、これを梱包箱に入れて２回目の梱包が行われる。
このとき、図５に示すように、第二上面部３２と第四上面部３４を梱包箱の内側に倒すように折りたたみ、次いで、第一上面部３１を梱包箱の内側に倒すように折りたたむ。
【００２８】
次に、第三上面部３３を第一上面部３１の上に重ねて折りたたみ、第三上面部３３の第三突片部３３１を第一上面部３１の第一挿入口３１２に挿入して、張り出し部３３１２により第一挿入口３１２に係合させて固定する。これによって、梱包箱は図６に示す状態となり、２回目の梱包が完了する。
【００２９】
次に、梱包箱が店舗へ配送され、店舗によって２回目の開梱が行われ、回収ケースが取り出される。
このとき、第三上面部３３の第三破断部３３１１を破断させて、第三突片部３３１を除去し、第三上面部３３を折り返すことで、梱包箱を容易に開梱することが可能になっている。
【００３０】
次に、店舗が、メンテナンスしたかつらを回収ケースに入れ、これを梱包箱に入れて３回目の梱包が行われる。
このとき、まず、第三上面部３３の突片用破断部３３３を破断させることにより、第三上面部３３に他の突片部３３４を形成する。そして、他の突片部３３４を第一上面部３１の他の挿入口３１３に挿入することにより、梱包を行うことができる。
【００３１】
なお、このようにして他の突片部３３４を他の挿入口３１３に挿入した領域に、例えば送り状を貼付することによって、第三上面部３３が開かないようにすることができる。
また、図９に示すように、第三上面部３３において、他の突片部３３４ａが形成されるように突片用破断部３３３を備えて、張り出し部３３４２ａにより他の挿入口３１３に係合させて固定するようにすることも好ましい。
そして、梱包箱が顧客へ配送され、顧客によって３回目の開梱が行われて、回収ケースからかつらが取り出される。
【００３２】
このとき、梱包箱を容易に開梱可能にするために、他の突片部３３４ａの根元に当該他の突片部３３４ａを容易に分離可能な破断部を設けることも好ましい。これにより、当該破断部を破断させて、他の突片部３３４ａを除去し、第三上面部３３を折り返すことで、梱包箱を容易に開梱することができる。
【００３３】
また、図１０に示すように、第三上面部３３に当該第三上面部３３を容易に切断可能な開梱用破断部３３５を設けることも好ましい。さらに、第三上面部３３の第三挿入口３３２に切り欠き３３２１が設けることも好ましい。
本実施形態の梱包箱をこのようにすれば、切り欠き３３２１に指をかけて第三上面部３３を持ち上げることにより、開梱用破断部３３５に従って第三上面部３３を切断することができるため、梱包箱をさらに容易に開梱することが可能となる。
また、本実施形態の梱包箱をこのようにすれば、他の突片部３３４を他の挿入口３１３に挿入した領域に送り状を貼付した場合でも、送り状を剥がすことなく、梱包箱を容易に開梱することが可能である。
【００３４】
以上説明したように、本実施形態の梱包箱によれば、３回の梱包及び開梱を別個の態様により行うことができ、粘着テープなどを使用することなく、簡単に３回の配送を行うことが可能である。
【００３５】
以上、本考案に係る梱包箱の好ましい実施形態について説明したが、本考案に係る梱包箱は上記実施形態のみに限定されるものではなく、本考案の範囲で種々の変更実施が可能であることは言うまでもない。
例えば、梱包箱の底を他の形状でロックする構成としたり、上面部を長方形にするなど適宜変更することが可能である。
【産業上の利用可能性】
【００３６】
本考案は、物品の配送を繰り返し３回行う場合に好適に利用することが可能である。
【符号の説明】
【００３７】
１１  第一底面部
１１１  接着部
１１２  谷線部
１１３  先端部
１２  第二底面部
１２１  被接着部
１３  第三底面部
１３１  接着部
１３２  谷線部
１３３  先端部
１４  第四底面部
１４１  被接着部
２１  第一側面部
２１１  接着部
２２  第二側面部
２３  第三側面部
２４  第四側面部
２４１  被接着部
３１  第一上面部
３１１  突片部
３１１１  破断部
３１１２  張り出し部
３１２  挿入口
３１３  他の挿入口
３２  第二上面部
３３  第三上面部
３３１  突片部
３３１１  破断部
３３１２  張り出し部
３３２  挿入口
３３２１  切り欠き
３３３  突片用破断部
３３４，３３４ａ  他の突片部
３３５  開梱用破断部
３４  第四上面部
【図１】
0003221254.tif 000003
【図２】
0003221254.tif 000004
【図３】
0003221254.tif 000005
【図４】
0003221254.tif 000006
【図５】
0003221254.tif 000007
【図６】
0003221254.tif 000008
【図７】
0003221254.tif 000009
【図８】
0003221254.tif 000010
【図９】
0003221254.tif 000011
【図１０】
0003221254.tif 000012